(57)【要約】【目的】開傘時に使用者が手元側から親骨を透過して傘布の色調又は模様を視認できる洋傘の提供を目的とする。【構成】中棒の上端に固着した上ロクロと、中棒に摺動自在に外挿せしめた下ロクロと、中棒の下端に固着した手元と、基端部を上ロクロに枢結した親骨と、両端部を下ロクロと親骨の長手方向中途部とに枢結した受骨と、親骨に張設された傘布を備えた洋傘において、前記親骨は、上ロクロに枢結される基端部から露先を付設される先端部に至る全長の全体を強化繊維を含有しない合成樹脂により一体成形されると共に、光線透過率を８０％以上とする透明のものとして構成されており、前記基端部の近傍から先端部の近傍に至る骨本体部の外周面のうち、傘布に対面する頂面に、幅方向及び長手方向にほぼ同一平面内で延びる平坦な受光面を形成し、該受光面に対して傘布を面接触せしめ、開傘状態で手元側から親骨を透過して傘布を視認可能とした構成である。【選択図】        図１
2004267573.tif 000002
【特許請求の範囲】
【請求項１】
中棒の上端に固着した上ロクロと、中棒に摺動自在に外挿せしめた下ロクロと、中棒の下端に固着した手元と、基端部を上ロクロに枢結した親骨と、両端部を下ロクロと親骨の長手方向中途部とに枢結した受骨と、親骨に張設された傘布を備えた洋傘において、
前記親骨５は、上ロクロに枢結される基端部２１から露先３６を付設される先端部２３に至る全長の全体を強化繊維を含有しない合成樹脂により一体成形されると共に、光線透過率を８０％以上とする透明のものとして構成されており、
前記基端部２１の近傍から先端部２３の近傍に至る骨本体部２９の外周面のうち、傘布１１に対面する頂面に、幅方向及び長手方向にほぼ同一平面内で延びる平坦な受光面３０を形成し、該受光面３０に対して傘布１１を面接触せしめ、開傘状態で手元側から親骨を透過して傘布を視認可能となるように構成されたことを特徴とする洋傘。
【請求項２】
前記親骨は、温度２５度Ｃにおいて、曲げ弾性率（×１０４  ｋｇ／ｃｍ  ２  ）を１．５以上で２．５以下かつ曲げ強さ（ｋｇ／ｃｍ  ２  ）を７５０以上でかつ引張り強さ（ｋｇ／ｃｍ  ２  ）を６５０以上とすることを特徴とする請求項１に記載の洋傘。
【発明の詳細な説明】
【０００１】
【発明の属する技術分野】
本発明は、洋傘、特に、洋傘における親骨に関する。
【０００２】
【従来の技術】
従来、図５に示すような洋傘が周知であり、中棒１には、上端に上ロクロ２が固着され、その下方において下ロクロ３が摺動自在に外挿されており、下端に手元４が固着されている。このような上ロクロ２と下ロクロ３に対して放射方向に延びる複数本の親骨５と受骨８とから成る骨組構造が組付けられている。親骨５は、基端部に設けた端部枢結具６を上ロクロ２に枢結され、該親骨５の長手方向中途部に中途部枢結具７を設けている。受骨８は、一端部に設けた端部枢結具９を下ロクロ３に枢結すると共に、他端部に設けた端部枢結具１０を中途部枢結具７に枢結している。更に、親骨５には傘布１１が張設されている。
【０００３】
従って、実線で示すように、下ロクロ３を上昇せしめると、受骨８が展開しつつ親骨５を押し上げ、骨組を開傘することにより傘布１１を展開する。反対に、鎖線で示すように、下ロクロ３を下降せしめると、受骨８が起立しながら親骨５を引き下げ、骨組を閉傘することにより傘布１１を集束する。
【０００４】
【発明が解決しようとする課題】
従来周知の洋傘において、親骨５及び受骨８は、断面Ｕ字形とされた板金製の金属骨により構成されているのが一般的であるが、当然のことながら、発錆の問題と、軽量化に応じ難いという問題がある。このため、近年は、親骨５及び受骨８の両方又は一方を合成樹脂製とした洋傘が提供されており、合成樹脂製の親骨としては、カーボン繊維やガラス繊維による強化樹脂の押出成形又は引抜成形による丸棒材を使用した半製品的な親骨と、熱可塑性樹脂により射出成形された完成品的な親骨との２種類が存在している。
【０００５】
前述の半製品的な親骨５は、一直線状に延びる合成樹脂製の丸棒材を使用したものであるため、別途制作した端部枢結具６を該丸棒材の基端部に取付けると共に、別途制作した中途部枢結具７を該丸棒材の長手方向の中途部に取付ける必要があるため、製造工程の点に問題がある。
【０００６】
この点に関して、前述の完成品的な親骨５は、端部枢結具６や中途部枢結具７を具備したものとして一体成形されるから、前述の丸棒材を使用した半製品的な親骨のような製造工程に関する問題がないという利点がある。然しながら、その一方において、射出成形された親骨５は、強度確保が最大の課題とされているため、常に必ず、ガラス繊維やカーボン繊維により強化された樹脂を素材としている。即ち、このような強化繊維を含有した合成樹脂により射出成形されている。然しながら、繊維強化樹脂により成形された従来の親骨は、断面を矩形状に形成すると、開傘時に傘布１１の張力により親骨５が湾曲変形したとき、強力な弾発力のため軸線回りに復元しようとする問題がある。即ち、図６に実線で示す親骨５を鎖線Ｌで示すように湾曲変形せしめると、復元力が矢印Ｒで示すような軸線回りのモーメントに変換され、その結果、親骨５が捩じれてしまうことになり、外観を損なうばかりか、受骨８に枢結された中途部枢結部７に応力集中を生じ、折損し易くなる。このため、繊維強化樹脂により射出成形された従来の親骨５は、図６に示すように傘布１１に対面する頂面に深い溝１２を形成し、該溝１２を親骨５の長手方向に長く延長せしめることにより、前述したような捩じれの発生を防止している。
【０００７】
更に、前述した２種類の親骨、即ち、丸棒材を使用した半製品的な親骨５及び射出成形された完成品的な親骨５の何れにおいても、カーボン繊維やガラス繊維により強化されているため、全くの不透明である。
【０００８】
【課題を解決するための手段】
本発明は、完成品的な親骨に見られる射出成形の利点を維持しながらも、極めて透明度の高い親骨を提供することを目的とする。このため、親骨の素材として使用される合成樹脂にはカーボン繊維やガラス繊維のような強化繊維を含有しないことが条件となる。
【０００９】
本発明が透明度の高い親骨を提供する目的は、開傘時に使用者が手元側から親骨を透過して傘布を視認可能とする点にあり、更に好ましくは、親骨と傘布が相互に広い平坦面を介して面的に接触し、親骨がレンズ又はプリズムとして傘布の色調や模様を使用者の頭上に投光できるように構成する点にある。
【００１０】
ところで、本発明の親骨は、洋傘の親骨である以上、開閉の繰返しに対する耐疲労性はもとより、開傘使用時に受ける風圧等に対する強度を満足することが必要である。然しながら、上述したように、曲げ弾性が所定以上に高くなると、湾曲変形した際の捩じれの問題があり、このような捩じれの発生を従来の親骨のような溝により防止する場合は、親骨の頂面と傘布が面的に接触しなくなるので、前述の目的を達成できないという新たな問題を生じる。
【００１１】
この点に関して、本発明は、洋傘の親骨が必要かつ十分な耐疲労性と機械的強度を満足するためには、日本の平均的気候を基準とする温度２５度Ｃにおいて、曲げ弾性率（×１０４  ｋｇ／ｃｍ  ２  ）を１．５以上かつ曲げ強さ（ｋｇ／ｃｍ  ２  ）を７５０以上かつ引張り強さ（ｋｇ／ｃｍ  ２  ）を６５０以上とすることが条件になることを知見した。
【００１２】
然しながら、親骨が湾曲変形した状態で捩じれないように構成するためには、曲げ弾性率を所定値以下とすることが必要であり、前記と同様の温度２５度Ｃにおいて、曲げ弾性率（×１０４  ｋｇ／ｃｍ  ２  ）を２．５以下とすることが条件になることを知見した。
【００１３】
そして、このような構成とすることにより、高い透明度を有しながら、必要かつ十分な耐疲労性と機械的強度を満足し、しかも、傘布に対して面接触を可能とする形状の親骨を提供することができることを知見した。
【００１４】
そこで、本発明が手段として構成したところは、中棒の上端に固着した上ロクロと、中棒に摺動自在に外挿せしめた下ロクロと、中棒の下端に固着した手元と、基端部を上ロクロに枢結した親骨と、両端部を下ロクロと親骨の長手方向中途部とに枢結した受骨と、親骨に張設された傘布を備えた洋傘において、前記親骨は、上ロクロに枢結される基端部から露先を付設される先端部に至る全長の全体を強化繊維を含有しない合成樹脂により一体成形されると共に、光線透過率を８０％以上とする透明のものとして構成されており、前記基端部の近傍から先端部の近傍に至る骨本体部の外周面のうち、傘布に対面する頂面に、幅方向及び長手方向にほぼ同一平面内で延びる平坦な受光面を形成し、該受光面に対して傘布を面接触せしめ、開傘状態で手元側から親骨を透過して傘布を視認可能となるように構成された点にある。
【００１５】
この際、前記親骨は、温度２５度Ｃにおいて、曲げ弾性率（×１０４  ｋｇ／ｃｍ  ２  ）を１．５以上で２．５以下かつ曲げ強さ（ｋｇ／ｃｍ  ２  ）を７５０以上でかつ引張り強さ（ｋｇ／ｃｍ  ２  ）を６５０以上としている。
【００１６】
【発明の実施の形態】
以下図面に基づいて本発明の好ましい実施形態を詳述する。
【００１７】
本発明に係る親骨５の１例を図１ないし図３に示している。この親骨５は、先に従来例に関して説明した図５に示すような洋傘に使用され、従って、中棒１、上ロクロ２、下ロクロ３、手元４、受骨８、傘布１１に関する説明は、図５に基づいて上述した説明を援用する。
【００１８】
図１に示すように、親骨５は、上ロクロ２に枢結される基端部２１を孔付きの舌片部２２により構成すると共に、先端部２３の最端部に露先挿着部２４を形成し、長手方向の中途部に孔付きの二股状とされたブラケット部２５を形成しており、全長にわたる全体を強化繊維を含有しない合成樹脂で射出成形により一体成形している。尚、図例では、露先挿着部２４に別体の露先３６を挿着する構成としているが、該露先挿着部２４それ自体により露先を一体成形するように構成しても良い。
【００１９】
この際、親骨５を形成する合成樹脂の素材は、図４（Ａ）に示すような化学構造式を有するポリアリレート系樹脂を使用することができる。ポリアリレート系樹脂は、熱可塑性の非晶性樹脂であり、結晶性樹脂に比べて成形収縮率が小さく吸水率が低いことにより、高い寸法安定性を有すると共に、熱変形温度が高く、高温下でも機械的特性を失わず耐熱性に優れ、更に、優れた耐紫外線性を有し長期間の太陽光暴露を受けた後でも機械的特性に変化が見られず耐候性が良く、衝撃強さが高く、強靱性に優れることが知られている。このようなポリアリレート系樹脂を主材とする合成樹脂は、例えば、デュポン社の商品名「アリロン」や、ユニチカ株式会社の商品名「Ｕ−１００」等が市販されているが、それ自体が不透明なものや、透光性を有するが曇り状の半透明とされるものも含まれており、本発明においては、特に透明度の高いものが使用され、親骨５の光線透過率を８０％以上とすることが必要である。
【００２０】
そこで、親骨５の成形素材としての合成樹脂は、前記のようなポリアリレート系樹脂を主材として、透明度を低下しない範囲で、ポリエチレンテレフタレートやポリカーボネートその他の透明性に優れる合成樹脂を混合することが可能であるが、配合比を決定するに際しては、成形された親骨５の機械的特性が、温度２５度Ｃにおいて、曲げ弾性率（×１０４  ｋｇ／ｃｍ  ２  ）を１．５以上で２．５以下かつ曲げ強さ（ｋｇ／ｃｍ  ２  ）を７５０以上かつ引張り強さ（ｋｇ／ｃｍ  ２  ）を６５０以上の条件を満たすことが必要である。
【００２１】
親骨５が必要かつ十分な耐疲労性と機械的強度を満足するためには、日本の平均的気候を基準とする温度２５度Ｃにおいて、曲げ弾性率（×１０４  ｋｇ／ｃｍ  ２  ）を１．５以上かつ曲げ強さ（ｋｇ／ｃｍ  ２  ）を７５０以上かつ引張り強さ（ｋｇ／ｃｍ  ２  ）を６５０以上とすることが条件になる。ところが、曲げ弾性率（×１０４  ｋｇ／ｃｍ  ２  ）が２．５を越えると、上述した従来例のような溝を形成しなければ湾曲変形時に捩れを生じてしまうため、溝を形成せずに親骨５の捩れを防止するためには、曲げ弾性率（×１０４  ｋｇ／ｃｍ  ２  ）を２．５以下とすることが条件になる。このような条件を満たす配合比に基づく合成樹脂素材により成形した１例における曲げ弾性率を図４（Ｂ）に示し、曲げ強さ及び引張り強さを図４（Ｃ）に示している。
【００２２】
図１に示すように、親骨５は、ブラケット部２５を含む中央領域２６と、該中央領域２６から基端部２１に至る基端寄り領域２７と、該中央領域２６から先端部２３に至る先端寄り領域２８を構成し、これらの中央領域２６と両側の基端寄り領域２７及び先端寄り領域２８から構成された骨本体部２９の全長に関して、傘布１１に対面する頂面に、幅方向及び長手方向にほぼ同一平面内で延びる平坦な受光面３０を形成している。従って、このような本発明の親骨５を骨組として組込んだ洋傘は、傘布１１を張設した状態で、受光面３０に対して傘布１１を面接触せしめる。
【００２３】
骨本体部２９は、中央領域２６のうちブラケット部２５に対応するブラケット領域３１と、基端寄り領域２７のうちブラケット領域３１に近傍する基端側隣接領域３２と、先端寄り領域２８のうちブラケット領域３１に近傍する先端側隣接領域３３を構成し、基端側隣接領域３２及び先端側隣接領域３３は、頂面から両側に張り出すリブ３４、３５を形成し、リブ３４、３５の頂面が受光面３０と面一になるように、換言すると、リブ３４、３５の頂面が受光面３０の一部を形成するように構成している。
【００２４】
図２に示すように、中央領域２６は、その全長にわたり幅寸法をほぼ一様、即ち、リブ３４、３５により規定される両端の幅寸法ｗ１、ｗ２をほぼ等しく形成すると共に、ブラケット部２５を除く高さ方向の厚さをほぼ一様、即ち、両端の高さ寸法ｈ１、ｈ２をほぼ等しく形成している。尚、図示のように、リブ３４、３５を有する部分の断面はほぼＴ形に形成されている。
【００２５】
これに対して、基端寄り領域２７は、中央領域２６との連設部分の幅寸法ｗ１と高さ寸法ｈ１に対して、基端部２１との連設部分の幅寸法ｗ３と高さ寸法ｈ３を、ｗ１＞ｗ３、ｈ１＝ｈ３となるように形成しており、基端方向に向けて次第に幅を減じるように構成している。尚、リブ３４を有しない基端側の部分の断面はｈ３＞ｗ３とした長方形に形成されている。
【００２６】
また、先端寄り領域２８は、中央領域２６との連設部分の幅寸法ｗ２と高さ寸法ｈ２に対して、先端部２３との連設部分の幅寸法ｗ４と高さ寸法ｈ４を、ｗ２＞ｗ４、ｈ２＞ｈ４となるように形成しており、先端方向に向けて次第に幅及び高さの両方を減じるように構成している。尚、リブ３５を有しない先端側の部分の断面はｈ４＞ｗ４とした長方形に形成されているが、ｈ４＝ｗ４とした正方形に形成しても良い。
【００２７】
更に、先端部２３は、骨本体部２９の軸線に対して、中棒１に向けて若干角度を有するように屈折せしめられており、先端に向けて次第に径を減じる断面円形又は楕円形に形成されている。
【００２８】
上記構成の親骨５を組付けた洋傘は、傘布１１の張力を受ける開傘時においては親骨５が湾曲変形し、傘布１１の張力を生じない閉傘時においては親骨５がほぼ直線状に弾性復元する。
【００２９】
開傘状態で湾曲変形せしめられた親骨５は、図３に示すように、中央領域２６から基端部２１（上ロクロ２に枢結されている）に向けて基端寄り領域２７を円弧状に湾曲すると共に、先端部２３（傘布１１に固着された露先３６を挿着している）に向けて先端寄り領域２８を円弧状に湾曲し、親骨５を全長にわたり滑らかな円弧状に湾曲せしめられる。上述のように曲げ弾性率（×１０４  ｋｇ／ｃｍ  ２  ）を２．５以下にされると共に、図例のように全体にわたる断面をほぼＴ形又は矩形に形成されているので、親骨５は、受骨８の押し上げ方向Ｘに対して弾性変形容易であるのみならず、これと交差する方向Ｙ（親骨の左右両側方向）に対しても弾性変形容易とされ、その結果、従来技術に関して上述したような軸線回りの捩れを生じない。
【００３０】
ところで、傘布１１は、露先３６を介して親骨５の先端部２３に接続される他、糸３７、３８により親骨５に直接接続されており、開傘時に生じる張力により湾曲変形した親骨５の受光面３０に傘布１１を面接触せしめる。そこで、太陽光により傘布１１は、所定の色調又は模様を呈するが、このような色調や模様を表す光は、受光面３０に進入すると共に親骨５の内部を透過する。従って、使用者は、手元側から親骨５を透過して傘布１１の色調又は模様を視認することができる。親骨５を透過する光は、親骨５の断面形状に応じて屈折されるので、レンズ効果又はプリズム効果を生じ、使用者に対して従来では見られない趣味感を醸し出す。
【００３１】
【発明の効果】
本発明によれば、親骨５は、光線透過率を８０％以上とする高い透明度のものに形成されており、しかも、基端部２１の近傍から先端部２３の近傍に至る骨本体部２９のうち、傘布１１に対面する頂面に、幅方向及び長手方向にほぼ同一平面内で延びる平坦な受光面３０を形成し、該受光面３０に傘布１１を面接触せしめる構成であるから、開傘時において、使用者が手元側から親骨５を透過して傘布１１の色調又は模様を視認することができ、趣味感に優れた洋傘を提供できるという効果がある。
【００３２】
しかも、本発明によれば、親骨５を射出成形することができるので、製造工程が簡単で安価に提供することができる他、耐疲労性や耐折損強度を満足するだけでなく、従来技術のような溝を形成しなくても親骨５の捩れを生じないので、前述のような面積の広い受光面３０を好適に形成し得るという効果がある。
【図面の簡単な説明】
【図１】本発明の洋傘における親骨の第１実施形態を示す斜視図である。
【図２】親骨を長手方向に分断した状態を示す斜視図である。
【図３】開傘時に親骨が湾曲変形せしめられた状態を示す斜視図である。
【図４】親骨の素材とされた合成樹脂を説明しており、（Ａ）は合成樹脂主材の化学構造式であり、（Ｂ）は曲げ弾性率を示す説明図、（Ｂ）は曲げ強さ及び引張り強さを示す説明図である。
【図５】洋傘の概略構造を示す正面図である。
【図６】従来の射出成形された親骨を示す斜視図である。
【符号の説明】
１    中棒
２    上ロクロ
３    下ロクロ
４    手元
５    親骨
８    受骨
２１    基端部
２３    先端部
２５    ブラケット部
２６    中央領域
２７    基端寄り領域
２８    先端寄り領域
２９    骨本体部
３０    受光面
【図１】
2004267573.tif 000003
【図２】
2004267573.tif 000004
【図３】
2004267573.tif 000005
【図４】
2004267573.tif 000006
【図５】
2004267573.tif 000007
【図６】
2004267573.tif 000008